(57)【要約】【課題】自国語インターネットアドレスシステムに関し、従来のＬＤＨ（Ｌｅｔｔｅｒ、Ｄｉｇｉｔ、Ｈｙｐｈｅｎ）で構成された階層的構造のドメインとは異なって、多様な言語及び地域のデータを収容可能であり、ユニコードで表現可能であり、全世界の多様な文字を全て処理可能な自国語インターネットアドレスシステムを提供すると共に、１つのシステムで全世界の自国語インターネットアドレスを統合してサービスするシステムを提供する。【解決手段】本発明の自国語インターネットアドレスシステムは、自国語インターネットアドレスデータの登録を受けて格納する自国語インターネットアドレスＤＢサーバと、前記自国語インターネットアドレスＤＢサーバに接続され、前記自国語インターネットアドレスデータを登録する自国語インターネットアドレス登録モジュールと、前記自国語インターネットアドレスＤＢサーバに接続され、クライアントにより入力された質問語の言語を判別する自国語インターネットアドレス処理サーバと、を備え、前記自国語インターネットアドレス処理サーバは、入力された質問語が自国語である場合は、前記自国語インターネットアドレスＤＢサーバから前記自国語に対応するＵＲＩまたはＵＲＬ形態のアドレスを取得し、他の地域の言語である場合は、その地域の自国語インターネットアドレスシステムに連動して該当言語に対応するＵＲＩまたはＵＲＬ形態のアドレスを取得することを特徴とする。【選択図】図１
2008502202.tif 000002
【特許請求の範囲】
【請求項１】
自国語インターネットアドレスデータの登録を受けて格納する自国語インターネットアドレスＤＢサーバと、
前記自国語インターネットアドレスＤＢサーバに接続され、前記自国語インターネットアドレスデータを登録する自国語インターネットアドレス登録モジュールと、
前記自国語インターネットアドレスＤＢサーバに接続され、クライアントにより入力された質問語の言語を判別する自国語インターネットアドレス処理サーバと、を備え、
前記自国語インターネットアドレス処理サーバは、入力された質問語が自国語である場合は、前記自国語インターネットアドレスＤＢサーバから前記自国語に対応するＵＲＩまたはＵＲＬ形態のアドレスを取得し、他の地域の言語である場合は、その地域の自国語インターネットアドレスシステムに連動して該当言語に対応するＵＲＩまたはＵＲＬ形態のアドレスを取得することを特徴とする自国語インターネットアドレスシステム。
【請求項２】
前記自国語インターネットアドレスＤＢサーバには、１個以上の言語別に分離されて格納された言語別ＤＢを備えることを特徴とする請求項１に記載の自国語インターネットアドレスシステム。
【請求項３】
言語別に分離されて構成された自国語インターネットアドレスデータの登録を受けて格納する自国語インターネットアドレスＤＢサーバと、
前記自国語インターネットアドレスＤＢサーバに接続され、前記自国語インターネットアドレスデータを登録する自国語インターネットアドレス登録モジュールと、
前記自国語インターネットアドレスＤＢサーバに接続され、クライアントにより入力された質問語の言語を判別する自国語インターネットアドレス処理サーバと、を備え、
前記自国語インターネットアドレス処理サーバは、入力された質問語の言語種類を判別し、その言語に該当する自国語インターネットアドレスＤＢサーバから対応するＵＲＩまたはＵＲＬ形態のアドレスを取得し、
前記自国語インターネットアドレスＤＢサーバは、各地域の自国語インターネットアドレスシステムの自国語インターネットアドレスＤＢサーバに連動してアップデートされることを特徴とする自国語インターネットアドレスシステム。
【請求項４】
言語別に分離されて構成され、且つ各地域の自国語インターネットアドレスＤＢサーバを備えた自国語インターネットアドレス中央ＤＢサーバに接続される自国語インターネットアドレスシステムであって、
前記自国語インターネットアドレス中央ＤＢサーバに接続され、自己地域の自国語インターネットアドレスデータを登録する自国語インターネットアドレス登録モジュールと、
前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、
前記自国語インターネットアドレス中央ＤＢサーバは、入力された質問語の言語種類を判別し、その言語に該当する対応するＵＲＩまたはＵＲＬ形態のアドレスを検索することを特徴とする自国語インターネットアドレスシステム。
【請求項５】
言語別に分離されて構成され、且つ各地域の自国語インターネットアドレスＤＢサーバを備えた自国語インターネットアドレス中央ＤＢサーバに接続される自国語インターネットアドレスシステムであって、
前記自国語インターネットアドレス中央ＤＢサーバに備えられた自己地域の自国語インターネットアドレスＤＢサーバと、
前記自己地域の自国語インターネットアドレスデータを登録する自国語インターネットアドレス登録モジュールと、を備え、
前記自国語インターネットアドレス中央ＤＢサーバに接続され、クライアントにより入力された質問語の言語種類を判別し, 自己地域の質問語である場合は、前記地域の自国語インターネットアドレスＤＢサーバに伝達し、自己地域の質問語でない場合は、前記自国語インターネットアドレス中央ＤＢサーバに該当質問語を伝達し、これに対応するＵＲＩまたはＵＲＬ形態のアドレスを取得することを特徴とする自国語インターネットアドレスシステム。
【請求項６】
前記質問語には、地域情報が付加されることを特徴とする請求項１乃至５のいずれか１項に記載の自国語インターネットアドレスシステム。
【請求項７】
前記質問語は、ブラウザで選択されたlanguage-tagにより地域情報が識別されることを特徴とする請求項６に記載の自国語インターネットアドレスシステム。
【請求項８】
前記他の地域の自国語インターネットアドレスシステムに中継サーバにより接続されることを特徴とする請求項１又は２に記載の自国語インターネットアドレスシステム。
【請求項９】
前記自国語インターネットアドレス中央ＤＢサーバは、少なくとも２個の分散型構造を有することを特徴とする請求項４又は５に記載の自国語インターネットアドレスシステム。
【請求項１０】
前記登録モジュールの前段には、登録用中継サーバがさらに追加されることを特徴とする請求項１乃至５のいずれか１項に記載の自国語インターネットアドレスシステム。
【請求項１１】
前記中央ＤＢサーバは、１個以上に分離されて構成され、これと別途に中継サーバが接続されることを特徴とする請求項４又は５に記載の自国語インターネットアドレスシステム。
【請求項１２】
前記自国インターネットアドレスから伝達された値を臨時に格納する臨時格納部をさらに備えることを特徴とする請求項４又は５に記載の自国語インターネットアドレスシステム。
【請求項１３】
前記クライアントは、クライアントモジュール方式またはサーバ基盤方式を通じて質問語を入力することを特徴とする請求項１乃至５のいずれか１項に記載の自国語インターネットアドレスシステム。
【請求項１４】
前記自国語インターネットアドレス処理サーバに接続された自国語インターネットアドレスネームサーバをさらに備えることを特徴とする請求項１乃至５のいずれか１項に記載の自国語インターネットアドレスシステム。
【請求項１５】
前記他の地域の自国語インターネットアドレスシステムに登録されていない質問語に対しては、あらかじめ指定された地域のＮＬＩＡ ＤＢサーバに質問語を伝達して応答したり、検索サイトと連携して検索結果を転送したり、各地域の全体ＮＬＩＡ ＤＢサーバから類似の値を検索して通知する請求項１又は２に記載の自国語インターネットアドレスシステム。
【請求項１６】
自国語インターネットアドレスデータを登録する自国語インターネットアドレス登録モジュールと、
クライアントにより入力された質問語を自国語インターネットアドレス中央ＤＢサーバに伝達し、これに対応するＵＲＩまたはＵＲＬ形態のアドレスを伝達される自国語インターネットアドレス処理サーバを備えた自国語インターネットアドレスシステムと、に利用される自国語インターネットアドレス中央ＤＢサーバであって、
前記自国語インターネットアドレス中央ＤＢサーバは、言語別に分離されて構成された自国語インターネットアドレスデータの登録を受けて格納し、
クライアントにより入力された質問語の言語種類を判別し、その言語に対応するＵＲＩまたはＵＲＬ形態のアドレスを前記自国語インターネットアドレス処理サーバに伝達する自国語インターネットアドレスシステムに利用されることを特徴とする自国語インターネットアドレス中央ＤＢサーバ。
【請求項１７】
少なくとも２個の分散型構造を有することを特徴とする請求項１６に記載の自国語インターネットアドレス中央ＤＢサーバ。
【請求項１８】
自国語インターネットアドレスデータを登録し、自国語インターネットアドレスＤＢを構築する段階と、
クライアントを介して質問語が入力される場合、前記質問語が自己地域でサービスする自国語であるか、他の地域の言語であるかを判断する段階と、
入力された質問語が自国語である場合は、前記自国語インターネットアドレスＤＢサーバから前記自国語に対応するＵＲＩまたはＵＲＬ形態のアドレスを取得し、他の地域の言語である場合は、その地域の自国語インターネットアドレスサービスシステムに連動してその質問語に対応するＵＲＩまたはＵＲＬ形態のアドレスを取得する段階と、を備えることを特徴とする自国語インターネットアドレスサービス方法。
【請求項１９】
前記質問語は、ブラウザで選択されたlanguage-tagにより地域情報が識別されることを特徴とする請求項１８に記載の自国語インターネットアドレスサービス方法。
【請求項２０】
該当地域の言語で構成された自国語インターネットアドレスデータの登録を受けて格納する自国語インターネットアドレスＤＢサーバと、
前記自国語インターネットアドレスＤＢサーバに接続され、前記自国語インターネットアドレスデータを登録する自国語インターネットアドレス登録モジュールと、
前記自国語インターネットアドレスＤＢサーバに接続され、クライアントにより入力された質問語を自国語インターネットアドレスＤＢサーバに伝達し、これに対応するＵＲＩまたはＵＲＬ形態のアドレスを伝達される自国語インターネットアドレス処理サーバと、を備え、
他の地域の言語で構成された他の地域の自国語インターネットアドレスシステムに連動してクライアントの要請によって他の地域の自国語インターネットアドレスシステムと通信することを特徴とする自国語インターネットアドレスシステム。
【請求項２１】
地域別に分離されて構成された自国語インターネットアドレスデータの登録を受けて格納する自国語インターネットアドレス中央ＤＢサーバに接続される自国語インターネットアドレスシステムであって、
前記自国語インターネットアドレス中央ＤＢサーバに接続され、前記自国語インターネットアドレスデータを登録する自国語インターネットアドレス登録モジュールと、
前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、
前記自国語インターネットアドレス中央ＤＢサーバは、入力された質問語に付加された地域情ボーを参照して、該当地域の自国語インターネットシステムに連動して前記質問語に対応するＵＲＩまたはＵＲＬ形態のアドレスを前記自国語インターネットアドレス処理サーバに伝達することを特徴とする自国語インターネットアドレスシステム。
【請求項２２】
地域別に分離されて構成され、各地域の自国語インターネットアドレスＤＢサーバを備えた自国語インターネットアドレス中央ＤＢサーバに接続される自国語インターネットアドレスシステムであって、
前記自国語インターネットアドレス中央ＤＢサーバに接続され、自己地域の自国語インターネットアドレスデータを登録する自国語インターネットアドレス登録モジュールと、
前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、
前記自国語インターネットアドレス中央ＤＢサーバは、入力された質問語に付加された地域情報を参照して、該当地域の自国語インターネットシステムに連動してその質問語に対応するＵＲＩまたはＵＲＬ形態のアドレスを検索することを特徴とする自国語インターネットアドレスシステム。
【請求項２３】
地域別に分離されて構成され、各地域の自国語インターネットアドレスＤＢサーバを備えた自国語インターネットアドレス中央ＤＢサーバに接続される自国語インターネットアドレスシステムであって、
前記自国語インターネットアドレス中央ＤＢサーバに備えられた自己地域でサービスする自国語インターネットアドレスＤＢと、
前記自己地域の自国語インターネットアドレスデータを登録する自国語インターネットアドレス登録モジュールと、
前記自国語インターネットアドレス中央ＤＢサーバに接続され、クライアントにより入力された質問語が自己地域の質問語である場合は、前記地域の自国語インターネットアドレスＤＢに伝達し、自己地域の質問語でない場合は、前記自国インターネットアドレス中央ＤＢに該当質問語を伝達し、これに対応するＵＲＩまたはＵＲＬ形態のアドレスを取得する自国語インターネットアドレスサーバを備えることを特徴とする自国語インターネットアドレスシステム。
【請求項２４】
前記他の地域の自国語インターネットアドレスシステムに中継サーバにより接続されることを特徴とする請求項２０に記載の自国語インターネットアドレスシステム。
【請求項２５】
前記自国語インターネットアドレス中央ＤＢサーバは、少なくとも２個の分散型構造を有することを特徴とする請求項２２又は２３に記載の自国語インターネットアドレスシステム。
【請求項２６】
前記登録モジュールの前段には、登録用中継サーバがさらに追加されることを特徴とする請求項２２又は２３に記載の自国語インターネットアドレスシステム。
【請求項２７】
前記中央ＤＢサーバは、１個以上に分離されて構成され、これと別途に中継サーバが接続されることを特徴とする請求項２２又は２３に記載の自国語インターネットアドレスシステム。
【請求項２８】
前記自国語インターネットアドレスから伝達された値を臨時に格納する臨時格納部をさらに備えることを特徴とする請求項２２又は２３に記載の自国語インターネットアドレスシステム。
【請求項２９】
前記クライアントは、クライアントモジュール方式またはサーバ基盤方式を通じて質問語を入力することを特徴とする請求項２０乃至２３のいずれか１項に記載の自国語インターネットアドレスシステム。
【請求項３０】
前記自国語インターネットアドレス処理サーバに接続された自国語インターネットアドレスネームサーバをさらに備えることを特徴とする請求項２０乃至２３のいずれか１項に記載の自国語インターネットアドレスシステム。
【請求項３１】
前記質問語には、地域情報が付加されることを特徴とする請求項２０乃至２３のいずれか１項に記載の自国語インターネットアドレスシステム。
【請求項３２】
前記他の地域の自国語インターネットアドレスシステムに登録されていない質問語に対しては、あらかじめ指定された地域ＮＬＩＡ ＤＢサーバに質問語を伝達して応答したり、検索サイトと連携して検索結果を転送したり、各地域別ＮＬＩＡ ＤＢサーバから類似の値を検索して通知することを特徴とする請求項２０又は２１に記載の自国語インターネットアドレスシステム。
【請求項３３】
地域別自国語インターネットアドレスデータを登録する自国語インターネットアドレス登録モジュールと、
クライアントにより入力された質問を自国語インターネットアドレス中央ＤＢサーバに伝達し、これに対応するＵＲＩまたはＵＲＬ形態のアドレスを伝達される自国語インターネットアドレス処理サーバを備えた自国語インターネットアドレスシステムと、に利用される自国語インターネットアドレス中央ＤＢサーバであって、
前記自国語インターネットアドレス中央ＤＢサーバは、入力された質問に付加された地域情報に対応するＵＲＩまたはＵＲＬ形態のアドレスを検索し、その結果を前記自国語インターネットアドレス処理サーバに伝達する自国語インターネットアドレスシステムに利用されることを特徴とする自国語インターネットアドレス中央ＤＢサーバ。
【請求項３４】
少なくとも２個の分散型構造を有することを特徴とする請求項３３に記載の自国語インターネットアドレス中央ＤＢサーバ。
【請求項３５】
自己地域の自国語インターネットアドレスデータを登録し、自国語インターネットアドレスＤＢを構築する段階と、
クライアントを介して質問語が入力される場合、前記質問語が自己地域のサービスに対する要請であるか、他の地域サービスに対する要請であるかを判断する段階と、
入力された質問語が自己地域のサービスに対する要請である場合は、前記自国語インターネットアドレスＤＢから前記自国語に対応するＵＲＩまたはＵＲＬ形態のアドレスを取得し、他の地域のサービスに対する要請である場合は、その地域の自国語インターネットアドレスシステムに連動してその質問語に対応するＵＲＩまたはＵＲＬ形態のアドレスを取得する段階と、を備えることを特徴とする自国語インターネットアドレスサービス方法。
【請求項３６】
前記質問語には、地域情報が付加されることを特徴とする請求項３５に記載の自国語インターネットアドレスサービス方法。
【請求項３７】
多数の自国語インターネットアドレスシステムであって、自国語インターネットアドレスシステムの各々は、地域情報及び言語情報により分離された自国語インターネットアドレスデータの登録を受けて格納する自国語インターネットアドレスＤＢサーバと、前記自国語インターネットアドレスＤＢサーバに接続され、クライアントにより入力された質問語の言語を判別する自国語インターネットアドレス処理サーバと、を備え、
特定の自国語インターネットアドレス処理サーバに入力された質問語が自己地域の言語情報である場合は、前記自国語インターネットアドレスＤＢサーバから前記質問語に対応するＵＲＩまたはＵＲＬ形態のアドレスを取得し、他の地域の言語である場合は、その地域の自国語インターネットアドレスシステムに連動して該当言語に対応するＵＲＩまたはＵＲＬ形態のアドレスを取得することを特徴とする自国語インターネットアドレス連動システム。
【請求項３８】
多数の自国語インターネットアドレスシステムであって、自国語インターネットアドレスシステムの各々は、その地域の言語情報である自国語インターネットアドレスデータの登録を受けて格納する自国語インターネットアドレスＤＢサーバと、前記自国語インターネットアドレスＤＢサーバに接続され、クライアントにより入力された質問語に対して応答する自国語インターネットアドレス処理サーバと、を備え、
特定の自国語インターネットアドレス処理サーバに入力された質問語が自己地域の言語情報である場合は、前記自国語インターネットアドレスＤＢサーバから前記質問語に対応するＵＲＩまたはＵＲＬ形態のアドレスを取得し、他の地域の言語である場合は、その地域の自国語インターネットアドレスシステムに連動して該当質問語に対応するＵＲＩまたはＵＲＬ形態のアドレスを取得することを特徴とする自国語インターネットアドレス連動システム。
【発明の詳細な説明】
【技術分野】
【０００１】
本発明は、自国語インターネットアドレスシステムに関し、より詳細には、各地域の言語で表現可能なキーワード形態の自国語を用いて特定のリソースに接近できるデータを通知することができる自国語インターネットアドレスシステムに関する。
【背景技術】
【０００２】
インターネットとは、単純に複数のコンピュータが集まってなるものでなく、異なる数種類のコンピュータのネットワークが互いに連結されて形成された巨大な連結網であり、このようなインターネットに連結された各コンピュータは、相互を識別するために、物理的なアドレス、すなわちＩＰ（Internet Protocol）アドレスが割り当てられている。
【０００３】
しかしながら、このような物理的なアドレスは、２５５を越えない数字からなる４個の群で構成されているので（例えば、１３４．７８．２３８．９９）、ユーザの立場では、このような数字列を記憶することが非常に難しく、インターネットに連結された特定のコンピュータに接続しようとする時毎に、ユーザがこのようなＩＰアドレスをいちいち記入するということは、非常に面倒なことである。
【０００４】
したがって、一般的に、物理的なアドレスを直接用いて各コンピュータに接続する代わりに、ＩＰアドレスを記憶しやすい文字列の組み合わせと一対一で対応させ、ユーザが文字列を入力すれば、該当するＩＰアドレスを有するコンピュータに自動で連結させる方式が用いられる。このように数字で構成されたＩＰアドレスの代わりに使われる文字の組み合わせをドメインネームという。
【０００５】
一方、最近、多く用いられているウェブホスティングサービス（webhosting service）、すなわちドメインネームに対応する実質的なホストコンピューターを有してはいないが、ドメインネームの登録を受けようとする者に自身のホストコンピューターを使用して登録を受けることができるようにするサービスを提供するプロバイダーを用いてドメインネームを登録した場合には、ＩＰアドレスに対してドメインネームが１つ以上対応することができる。
【０００６】
このように、ドメインネームとは、インターネットに連結されたコンピュータのインターネット上でのアドレスを示すもので、一般的にそのコンピュータの特性または地理的位置などを表示する識別子で構成される。例えば、電子メール（e-mail）のアドレスである″ｊａｍｅｓ＠ＡＢＣ．ｃｏ．ｋｒ″の中で″ＡＢＣ．ｃｏ．ｋｒ″が実質的なドメインネームとなり、ＩＰアドレス体系であるＵＲＬ（uniform resource location）である″ｈｔｔｐ：／／ｗｗｗ．ＡＢＣ．ｃｏ．ｋｒ″の中で″ＡＢＣ．ｃｏ．ｋｒ″が実質的なドメインネームとなる。そして、インターネットに連結されたコンピュータに提供される多様な情報のアドレスを示すＵＲＬ、例えば、″ｈｔｔｐ／／ｗｗｗ．ｉｎｔｅｒｎｉｃ．ｎｅｔ／ｉｎｄｅｘ．ｈｔｍｌ″では、″ｉｎｔｅｒｎｉｃ．ｎｅｔ″がドメインネームとなり、″ｉｎｄｅｘ．ｈｔｍｌ″は、該当情報が格納されているディレクトリを含むファイルネームとなる。
【０００７】
したがって、各コンピュータのＩＰアドレスの代わりにドメインネームを使用するためには、各コンピュータのＩＰアドレスとドメインネームとを対応付ける機能を行う別の装置が要求され、このような要求によって、インターネットに連結された各コンピュータは、このような機能を行うコンピュータシステム、すなわちドメインネームサーバ（domain name server；ＤＮＳ）と関連している。
【０００８】
一般的に、クライアントがインターネットの特定のコンピュータに接続するために、該当コンピュータのドメインネーム、例えば、″ｄｅｆ．ｃｏ．ｋｒ″に対するＩＰアドレス確認を設定されたドメインネームサーバに要請する場合、ドメインネームサーバは、ＩＰアドレスを管理する登録機関のサーバに入力されるドメインネームに該当するＩＰアドレスを問い合わせし、登録機関のサーバから提供されるＩＰアドレスをクライアントにリターンさせ、これにより、クライアントは、該当ＩＰアドレスを有するコンピュータに接続される。
【０００９】
前述したように、インターネット上の特定のコンピュータに接続するためには、該当ドメインネームを知らなければならない。しかし、一般的に、ドメインネームは、一定の規則によって作られた英語文字の組み合わせからなるので、韓国または日本国、中国など非英語圏国家の国民は、英語圏国家に比べて相対的にドメインネームを記憶することが難しいという短所がある。
【００１０】
これにより、非英語圏国家の国民も、便利にインターネットを利用するために、自国の言語からなるドメインネームを使用してウェブページを接続できるようにする方法が研究されているが、非英語圏言語を区別することが容易ではないという問題点がある。
【００１１】
さらに詳細には、各言語は、各国の規格によってコード化されて使用されているが、各規格別に同じコードを使用しているので、従来のドメインネームサーバは、非英語圏言語がいかなる規格に基づいてコード化されて言語であるか、すなわち、どの国の言語であるかを判別することができなかった。
【００１２】
このような問題点を解決するための試みがあった。その一例として、本願出願人により出願されて公開された特許文献１の″多国語を利用したウェブページ接続システム及び方法″が挙げられる。この方式によれば、クライアントから入力される接続語が英語を除いた他の言語からなる自国語である場合に、自国語サーバは、言語判別動作を行う判別サーバのＩＰアドレスを提供する。判別サーバは、クライアントから入力される接続語のパターンを分析したり、クライアントから提供される情報内に含まれている接続語コード規格情報を抽出して、該当接続語がどの国の言語であるかを判別し、その結果によって、接続語を該当言語を処理する連結サーバに提供し、クライアントが接続語に該当するウェブページに接続されるようにするシステムを開示している。
【００１３】
しかしながら、このような方式は、１つの国家で部分的に異なる言語の接続語を処理するための方式であって、全世界の自国語インターネットアドレスサービス主体別システムが連動する構造では、実際的に適用することが難しいという問題点があった。
【００１４】
また、従来技術によれば、同じ事業者が異なる言語によるシステムを全て構築しなければならないので、他の事業主体により各国のシステムを構築し、これらを統合して連動するシステムが相変わらず必要である。
【００１５】
また、従来技術によれば、多言語国家、多国家言語などに関して効率的にサービスを行うことができないので、相変わらず新しいシステムが要求されている実情である。
【００１６】
【特許文献１】韓国特許公開公報第２００１−４４０３３号明細書
【発明の開示】
【発明が解決しようとする課題】
【００１７】
本発明は、前述したような問題点を解決するためになされたもので、その目的は、従来のＬＤＨ（Ａｓｃｉｉ、ｄｉｇｉｔ、ｈｙｐｈｅｎ）で構成された階層的構造のドメインとは異なって、各国の言語で表現可能なキーワード形態を用いて特定のリソースに接近できるデータを通知する自国語インターネットアドレスシステムを提供することにある。
【００１８】
また、本発明の他の目的は、多様な言語及び地域のデータを収容可能であり、ユニコード（Unicode）で表現可能な全世界の多様な文字を全て処理可能な自国語インターネットアドレスシステムを提供し、１つのシステムで全世界の自国語インターネットアドレスを統合してサービスすることにある。
【００１９】
また、本発明のさらに他の目的は、全世界の自国語インターネットアドレスシステムが連動して全世界のシステムがクラスタリングすることによって、世界のいずれのシステムに自国語を入力しても、自国語インターネットアドレスサービスを提供できるようにするもことにある。
【課題を解決するための手段】
【００２０】
上記目的を達成するために、本発明の第１態様は、自国語インターネットアドレスデータの登録を受けて格納する自国語インターネットアドレスＤＢサーバと、前記自国語インターネットアドレスＤＢサーバに接続され、前記自国語インターネットアドレスデータを登録する自国語インターネットアドレス登録モジュールと、前記自国語インターネットアドレスＤＢサーバに接続され、クライアントにより入力された質問語の言語を判別する自国語インターネットアドレス処理サーバと、を備え、前記自国語インターネットアドレス処理サーバは、入力された質問語が自国語である場合は、前記自国語インターネットアドレスＤＢサーバから前記自国語に対応するＵＲＩまたはＵＲＬ形態のアドレスを取得し、他の地域の言語である場合は、その地域の自国語インターネットアドレスシステムに連動して該当言語に対応するＵＲＩまたはＵＲＬ形態のアドレスを取得することを特徴とする自国語インターネットアドレスシステムを提供する。
【００２１】
本発明の第２態様は、言語別に分離されて構成された自国語インターネットアドレスデータの登録を受けて格納する自国語インターネットアドレスＤＢサーバと、前記自国語インターネットアドレスＤＢサーバに接続され、前記自国語インターネットアドレスデータを登録する自国語インターネットアドレス登録モジュールと、前記自国語インターネットアドレスＤＢサーバに接続され、クライアントにより入力された質問語の言語を判別する自国語インターネットアドレス処理サーバと、を備え、前記自国語インターネットアドレス処理サーバは、入力された質問語の言語種類を判別し、その言語に該当する自国語インターネットアドレスＤＢサーバから対応するＵＲＩまたはＵＲＬ形態のアドレスを取得し、前記自国語インターネットアドレスＤＢサーバは、各地域の自国語インターネットアドレスシステムの自国語インターネットアドレスＤＢサーバに連動してアップデートされることを特徴とする自国語インターネットアドレスシステムを提供する。
【００２２】
本発明の第３態様は、言語別に分離されて構成され、且つ各地域の自国語インターネットアドレスＤＢサーバを備えた自国語インターネットアドレス中央ＤＢサーバに接続される自国語インターネットアドレスシステムであって、前記自国語インターネットアドレス中央ＤＢサーバに接続され、自己地域の自国語インターネットアドレスデータを登録する自国語インターネットアドレス登録モジュールと、前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、前記自国語インターネットアドレス中央ＤＢサーバは、入力された質問語の言語種類を判別し、その言語に該当する対応するＵＲＩまたはＵＲＬ形態のアドレスを検索することを特徴とする自国語インターネットアドレスシステム。
【００２３】
本発明の第４態様は、言語別に分離されて構成され、且つ各地域の自国語インターネットアドレスＤＢサーバを備えた自国語インターネットアドレス中央ＤＢサーバに接続される自国語インターネットアドレスシステムであって、前記自国語インターネットアドレス中央ＤＢサーバに備えられた自己地域の自国語インターネットアドレスＤＢサーバと、前記自己地域の自国語インターネットアドレスデータを登録する自国語インターネットアドレス登録モジュールと、を備え、前記自国語インターネットアドレス中央ＤＢサーバに接続され、クライアントにより入力された質問語の言語種類を判別し、 自己地域の質問語である場合は、前記地域の自国語インターネットアドレスＤＢサーバに伝達し、自己地域の質問語でない場合は、前記自国語インターネットアドレス中央ＤＢサーバに該当質問語を伝達し、これに対応するＵＲＩまたはＵＲＬ形態のアドレスを取得することを特徴とする自国語インターネットアドレスシステムを提供する。
【００２４】
本発明の第５態様は、自国語インターネットアドレスデータを登録する自国語インターネットアドレス登録モジュールと、クライアントにより入力された質問語を自国語インターネットアドレス中央ＤＢサーバに伝達し、これに対応するＵＲＩまたはＵＲＬ形態のアドレスを伝達される自国語インターネットアドレス処理サーバを備えた自国語インターネットアドレスシステムと、に利用される自国語インターネットアドレス中央ＤＢサーバであって、前記自国語インターネットアドレス中央ＤＢサーバは、言語別に分離されて構成された自国語インターネットアドレスデータの登録を受けて格納し、クライアントにより入力された質問語の言語種類を判別し、その言語に対応するＵＲＩまたはＵＲＬ形態のアドレスを前記自国語インターネットアドレス処理サーバに伝達する自国語インターネットアドレスシステムに利用されることを特徴とする自国語インターネットアドレス中央ＤＢサーバを提供する。
【００２５】
本発明の第６態様は、自国語インターネットアドレスデータを登録し、自国語インターネットアドレスＤＢを構築する段階と、クライアントを介して質問語が入力される場合、前記質問語が自己地域でサービスする自国語であるか、他の地域の言語であるかを判断する段階と、入力された質問語が自国語である場合は、前記自国語インターネットアドレスＤＢサーバから前記自国語に対応するＵＲＩまたはＵＲＬ形態のアドレスを取得し、他の地域の言語である場合は、その地域の自国語インターネットアドレスサービスシステムに連動してその質問語に対応するＵＲＩまたはＵＲＬ形態のアドレスを取得する段階と、を備えることを特徴とする自国語インターネットアドレスサービス方法を提供する。
【００２６】
本発明の第７態様は、該当地域の言語で構成された自国語インターネットアドレスデータの登録を受けて格納する自国語インターネットアドレスＤＢサーバと、前記自国語インターネットアドレスＤＢサーバに接続され、前記自国語インターネットアドレスデータを登録する自国語インターネットアドレス登録モジュールと、前記自国語インターネットアドレスＤＢサーバに接続され、クライアントにより入力された質問語を自国語インターネットアドレスＤＢサーバに伝達し、これに対応するＵＲＩまたはＵＲＬ形態のアドレスを伝達される自国語インターネットアドレス処理サーバと、を備え、他の地域の言語で構成された他の地域の自国語インターネットアドレスシステムに連動してクライアントの要請によって他の地域の自国語インターネットアドレスシステムと通信することを特徴とする自国語インターネットアドレスシステムを提供する。
【００２７】
本発明の第８態様は、地域別に分離されて構成された自国語インターネットアドレスデータの登録を受けて格納する自国語インターネットアドレス中央ＤＢサーバに接続される自国語インターネットアドレスシステムであって、前記自国語インターネットアドレス中央ＤＢサーバに接続され、前記自国語インターネットアドレスデータを登録する自国語インターネットアドレス登録モジュールと、前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、前記自国語インターネットアドレス中央ＤＢサーバは、入力された質問語に付加された地域情ボーを参照して、該当地域の自国語インターネットシステムに連動して前記質問語に対応するＵＲＩまたはＵＲＬ形態のアドレスを前記自国語インターネットアドレス処理サーバに伝達することを特徴とする自国語インターネットアドレスシステムを提供する。
【００２８】
本発明の第９態様は、地域別に分離されて構成され、各地域の自国語インターネットアドレスＤＢサーバを備えた自国語インターネットアドレス中央ＤＢサーバに接続される自国語インターネットアドレスシステムであって、前記自国語インターネットアドレス中央ＤＢサーバに接続され、自己地域の自国語インターネットアドレスデータを登録する自国語インターネットアドレス登録モジュールと、前記自国語インターネットアドレス中央ＤＢサーバに接続され、クライアントにより入力された質問語を伝達し、これに対応するＵＲＩまたはＵＲＬ形態のアドレスを伝達される自国語インターネットアドレス処理サーバと、を備え、前記自国語インターネットアドレス中央ＤＢサーバは、入力された質問語に付加された地域情報を参照して、該当地域の自国語インターネットシステムに連動してその質問語に対応するＵＲＩまたはＵＲＬ形態のアドレスを検索することを特徴とする自国語インターネットアドレスシステムを提供する。
【００２９】
本発明の第１０態様は、地域別に分離されて構成され、各地域の自国語インターネットアドレスＤＢサーバを備えた自国語インターネットアドレス中央ＤＢサーバに接続される自国語インターネットアドレスシステムであって、前記自国語インターネットアドレス中央ＤＢサーバに備えられた自己地域でサービスする自国語インターネットアドレスＤＢと、前記自己地域の自国語インターネットアドレスデータを登録する自国語インターネットアドレス登録モジュールと、 前記自国語インターネットアドレス中央ＤＢサーバに接続され、クライアントにより入力された質問語が自己地域の質問語である場合は、前記地域の自国語インターネットアドレスＤＢに伝達し、自己地域の質問語でない場合は、前記自国インターネットアドレス中央ＤＢに該当質問語を伝達し、これに対応するＵＲＩまたはＵＲＬ形態のアドレスを取得する自国語インターネットアドレスサーバを備えることを特徴とする自国語インターネットアドレスシステムを提供する。
【００３０】
本発明の第１１態様は、地域別自国語インターネットアドレスデータを登録する自国語インターネットアドレス登録モジュールと、クライアントにより入力された質問を自国語インターネットアドレス中央ＤＢサーバに伝達し、これに対応するＵＲＩまたはＵＲＬ形態のアドレスを伝達される自国語インターネットアドレス処理サーバを備えた自国語インターネットアドレスシステムと、に利用される自国語インターネットアドレス中央ＤＢサーバであって、前記自国語インターネットアドレス中央ＤＢサーバは、入力された質問に付加された地域情報に対応するＵＲＩまたはＵＲＬ形態のアドレスを検索し、その結果を前記自国語インターネットアドレス処理サーバに伝達する自国語インターネットアドレスシステムに利用されることを特徴とする自国語インターネットアドレス中央ＤＢサーバを提供する。
【００３１】
本発明の第１２態様は、自己地域の自国語インターネットアドレスデータを登録し、自国語インターネットアドレスＤＢを構築する段階と、クライアントを介して質問語が入力される場合、前記質問語が自己地域のサービスに対する要請であるか、他の地域サービスに対する要請であるかを判断する段階と、入力された質問語が自己地域のサービスに対する要請である場合は、前記自国語インターネットアドレスＤＢから前記自国語に対応するＵＲＩまたはＵＲＬ形態のアドレスを取得し、他の地域のサービスに対する要請である場合は、その地域の自国語インターネットアドレスシステムに連動してその質問語に対応するＵＲＩまたはＵＲＬ形態のアドレスを取得する段階と、を備えることを特徴とする自国語インターネットアドレスサービス方法を提供する。
【００３２】
本発明の第１３態様は、多数の自国語インターネットアドレスシステムであって、自国語インターネットアドレスシステムの各々は、地域情報及び言語情報により分離された自国語インターネットアドレスデータの登録を受けて格納する自国語インターネットアドレスＤＢサーバと、前記自国語インターネットアドレスＤＢサーバに接続され、クライアントにより入力された質問語の言語を判別する自国語インターネットアドレス処理サーバと、を備え、特定の自国語インターネットアドレス処理サーバに入力された質問語が自己地域の言語情報である場合は、前記自国語インターネットアドレスＤＢサーバから前記質問語に対応するＵＲＩまたはＵＲＬ形態のアドレスを取得し、他の地域の言語である場合は、その地域の自国語インターネットアドレスシステムに連動して該当言語に対応するＵＲＩまたはＵＲＬ形態のアドレスを取得することを特徴とする自国語インターネットアドレス連動システムを提供する。
【００３３】
本発明の第１４態様は、多数の自国語インターネットアドレスシステムであって、自国語インターネットアドレスシステムの各々は、その地域の言語情報である自国語インターネットアドレスデータの登録を受けて格納する自国語インターネットアドレスＤＢサーバと、前記自国語インターネットアドレスＤＢサーバに接続され、クライアントにより入力された質問語に対して応答する自国語インターネットアドレス処理サーバと、を備え、特定の自国語インターネットアドレス処理サーバに入力された質問語が自己地域の言語情報である場合は、前記自国語インターネットアドレスＤＢサーバから前記質問語に対応するＵＲＩまたはＵＲＬ形態のアドレスを取得し、他の地域の言語である場合は、その地域の自国語インターネットアドレスシステムに連動して該当質問語に対応するＵＲＩまたはＵＲＬ形態のアドレスを取得することを特徴とする自国語インターネットアドレス連動システムを提供する。
【図面の簡単な説明】
【００３４】
【図１】本発明の実施例１に係る自国語インターネットアドレスシステムの構成を概略的に示すブロック図である。
【図２】図１の自国語インターネットシステムの一部の詳細な構成を示すブロック図である。
【図３】本発明の実施例１に係る自国語インターネットシステムの連動処理を説明する概略的なブロック図である。
【図４ａ】言語と地域情報であるlanguage-tagをブラウザで追加と選択をするための画面を示す図である。
【図４ｂ】言語と地域情報であるlanguage-tagをブラウザで追加と選択をするための画面を示す図である。
【図５】本発明の実施例２に係る自国語インターネットアドレスシステム１３００の構成を概略的に示すブロック図である。
【図６】本発明に係る自国語インターネットサービスシステムの連動処理を説明する概略的なブロック図である。
【図７】本発明の第４実施例に係る自国語インターネットアドレスシステムのブロック図である。
【図８】図７の自国語インターネットサービスシステムの連動処理を説明する概略的なブロック図である。
【図９】本発明の実施例５に係る自国語インターネットアドレスシステムのブロック図である。
【図１０】本発明の実施例に係る自国語インターネットアドレスサービス方法の流れ図である。
【図１１】本発明の実施例６に係る自国語インターネットアドレスシステムの構成を概略的に示すブロック図である。
【図１２】本発明の実施例６に係る自国語インターネットシステムの連動処理を説明する概略的なブロック図である。
【図１３】図１２の連動処理システムの他の具現例を示す図である。
【図１４】本発明の実施例８に係る自国語インターネットアドレスシステム６３００の構成を概略的に示すブロック図である。
【図１５】本発明の実施例９に係る自国語インターネットアドレスシステムの連動処理を説明する概略的なブロック図である。
【図１６】本発明の実施例１０に係る自国語インターネットアドレスシステムの連動処理を説明する概略的なブロック図である。
【図１７】本発明の実施例に適用可能な分散型中央ＤＢを説明する図である。
【図１８】本発明の実施例に適用可能な登録用中継サーバを説明する図である。
【図１９】本発明の実施例に適用可能な中継サーバ及び中央ＤＢサーバの構成を説明する図である。
【図２０】本発明の実施例に適用可能な臨時格納部を説明する図である。
【図２１】本発明の実施例に適用可能なクライアントモジュール方式及びサーバ基盤方式を説明する図である。
【図２２】本発明の実施例に係る自国語インターネットアドレスサービス方法の流れ図である。
【発明を実施するための最良の形態】
【００３５】
本明細書に用いられるいくつかの用語を定義すれば、次の通りである。まず、従来、ドメインネームとして使用したＬＤＨ（Ａｓｃｉｉ、ｄｉｇｉｔ、ｈｙｐｈｅｎ）で構成された階層的構造の英語ＵＲＬは、″（英語）ドメインネーム″と称し、英語またはその以外の言語で、従来の英語ＵＲＬを意味しないキーワード形態の総称として″自国語″という用語を使用する。一方、″質問語″は、ユーザが特定のウェブページに接続するために入力する文字列を意味するもので、″（英語）ドメインネーム″及び″自国語″のいずれにも該当することができる。
【００３６】
自国語インターネットアドレスシステムは、ＤＮＳを代替するシステムではなく、自国語で構成されたキーワード形態を中心とする新しいアドレス体系（Naming System）である。したがって、本発明に係る自国語インターネットアドレスシステムは、自国語で構成されたキーワードを用いてウェブ、メール、電話、ファックスのような多様なリソースに対して接近することができる。
【００３７】
このシステムは、多様な言語及び地域（例えば、国家）のデータを収容可能であり、該当する処理サーバは、ドメインの階層的な方式でルート（Root）から分配された方式ではなく、互いに等しい立場でデータをやりとりする。また、内部的にＵＴＦ（UCS Transformation Format）の形式の文字言語を使用することによって、ユニコードで表現可能な全世界の多様な文字を全て処理可能なシステムである。
【００３８】
以下、添付の図面を参照して本発明に係る自国語インターネットアドレスシステムをさらに詳細に説明する。本格的な説明に先だって、参考として予めいくつかを言及する。以下に記載された内容のうち本発明の核心的な技術的思想と関係ない公知技術及び構成においてその詳細な説明がむしろ本発明の要旨を不明にすることができると判断される場合、便宜上説明を省略する。なお、後述する用語は、本発明での機能を考慮して定義された用語であるから、ユーザ及び運用者の意図または慣例などによって十分に変わることができることを明らかにする。したがって、以下の用語に対する定義は、本明細書の全般にわたる内容に基づいて解釈されることが好ましい。
【００３９】
（言語別ＤＢ方式の自国語インターネットアドレスシステム）
（実施例１）
図１は、本発明の実施例１に係る自国語インターネットアドレスシステムの構成を概略的に示すブロック図であり、図２は、図１の自国語インターネットアドレスシステムの一部の詳細な構成を示すブロック図であり、図３は、本発明の実施例１に係る自国語インターネットシステムの連動処理を説明する連動システムの概略的なブロック図である。
【００４０】
図１を参照すれば、自国語インターネットアドレスシステム（Native Language Internet Address；ＮＬＩＡシステム）３００は、自国語インターネットアドレスの登録を処理する登録モジュール３２０と、登録モジュール３２０から登録された自国語言語を収集するＮＬＩＡ ＤＢサーバ３８０と、クライアント３９０により入力された質問語（query）の言語を判別し、判別した言語をレゾリューションするＮＬＩＡ処理サーバ３４０と、を備える。
【００４１】
ＮＬＩＡ処理サーバ３４０は、入力された質問語が自国語である場合、この自国語がその地域で使用する場合は、ＮＬＩＡ ＤＢサーバ３８０からこれに対応するＵＲＩまたはＵＲＬ形態のアドレスを取得し、他の地域の言語である場合は、その地域のＮＬＩＡサービスシステム（例えば、図３の１００、２００、４００）からその地域の言語に対応するＵＲＩまたはＵＲＬ形態のアドレスを取得する（図１の経路Ａ参照）。
【００４２】
′地域′というのは、好ましくは、国家を意味することができるが、必ずこれに限定されず、１つの国家でも複数の地域があり得、複数の国家が１つの地域であることもできる。また、１つの地域では、言語別ＤＢが２個以上存在することもできる。例えば、カナダを地域として選択する場合、カナダは、英語とフランス語を共に使用するので、言語別ＤＢを２個有している。
【００４３】
一方、言語別に区分されているシステムの構成では、該当言語の検索結果が２個以上である場合、結果を列挙し、それらの中から選択する方法を取ることが好ましい。
【００４４】
したがって、ユーザが所望するリソースの名前、言語、地域、データタイプがＮＬＩＡ処理サーバ３４０に伝達される場合、所望のリソースへの接近が可能なアドレスを取得する。ＮＬＩＡ処理サーバ３４０は、データの特性によって該当するＤＢ（ＮＬＩＡ ＤＢまたはＮＬＥＡ（Native Language Email Address）ＤＢ）に質問し、情報への接近が可能なＵＲＩあるいはＵＲＬ形態のアドレスを返還される。図１では、参照符号３８０は、ＮＬＩＡ ＤＢサーバを示すが、これにＮＬＥＡＤＢサーバが追加されることができることを明らかにし、これについては後述する。
【００４５】
登録モジュール３２０は、自国語インターネットアドレスを登録処理する部分であって、例えば、ウェブページで構成された従来のドメインレジストラシステムと同様に構成することができ、自国語インターネットアドレスを処理するので、全てのデータの形態は、ＵＴＦ−８あるいはＵＣＳ（Universal Character Set）で格納される。登録モジュール３２０に自国語インターネットアドレスを登録する方式は、一般的なユーザがクライアントを介して直接登録する方法を取ることもでき、ＮＬＩＡシステム提供者が登録することもでき、これらの方式を混合した形態であってもよい。
【００４６】
ＮＬＩＡ処理サーバ３４０は、入力された質問語が他の地域の言語である場合、その地域のＮＬＩＡシステム（例えば、図３の１００、２００、４００）からその地域の言語に対応するＵＲＩまたはＵＲＬ形態のアドレスを取得するが、この方式を例にして説明すれば、ＮＬＩＡ ＤＢサーバ３８０は、質問されたデータに対して検索する機能をし、自身が処理しないデータは、他の地域のＮＬＩＡシステム（例えば、図３の１００、２００、４００）のＮＬＩＡ ＤＢサーバと連動（Ｂ経路参照）されて処理するように構成することができる。他の地域のＮＬＩＡ ＤＢサーバに連動して読み込んだ外部のデータは、一定時間の間にキャッシュ（Ｃａｃｈｅ）を利用する方式で性能を高めることができ、不要なトラフィックを抑制することが好ましい。
【００４７】
ＮＬＩＡ ＤＢサーバ３８０は、各地域及び言語別ＮＬＩＡシステムを区別して互いに連動する。そして、登録モジュール３２０を介して登録されたデータは、ＮＬＩＡ ＤＢサーバ３８０に伝達され、好ましくは、登録モジュール３２０とＮＬＩＡ ＤＢサーバ３８０との間には、中継モジュール（図示せず）が付加されることができる。中継モジュール（図示せず）には、ＮＬＩＡ登録モジュール２２０で登録されたデータが伝達され、ＮＬＩＡ中継モジュール（図示せず）は、現在サービス中のＮＬＩＡ ＤＢサーバ３８０の情報を有していて、リアルタイムで適用する。また、ＮＬＩＡ ＤＢサーバ３８０とは、データを伝達する時、データの時間情報を共有し、中間に伝達しないデータを同期化する機能をする。
【００４８】
一方、必要に応じて、ＮＬＩＡシステム３００には、ＮＬＩＡネームサーバ３６０が含まれることができる。ＮＬＩＡネームサーバ３６０は、ＤＮＳ機能に自国語インターネットアドレスを処理するための機能が追加されたものである。ＮＬＩＡネームサーバ３６０は、クライアント３９０から入力された質問語が英語ドメインネームであるか自国語であるかを判断する。ＮＬＩＡネームサーバ３６０は、質問語が英語ドメインネームである場合は、一般的なＤＮＳサーバ（図示しない）に接続し、その接続語に対応するＵＲＬまたはＩＰアドレスを取得し、接続語が自国語であると判断される場合は、ＮＬＩＡ処理サーバ３４０に接続を伝達する。
【００４９】
図２は、図１の自国語インターネットシステムの一部の詳細な構成を示すブロック図である。ＮＬＩＡネームサーバ３６０は、自国語スキャンモジュール３６２を備え、ＮＬＩＡ処理サーバ３４０は、多国語スキャンモジュール３４２とリソース切換モジュール３６４とを備え、ＮＬＩＡ ＤＢサーバ３８０は、ＤＢサーバテーブル３８２とＮＬＩＡ ＤＢエンジン＆グローバルアーキテクチャーモジュール３８４とを備える。モジュール３６２、３４２、３４４、３８２、３８４は、自国語インターネットアドレスを多様な形式のクライアントが使用可能に拡張可能な形態で構成されていて、多様な機器といろいろな種類のプログラムで活用可能なので、本発明に係る自国語インターネットアドレスシステムは、ＨＴＴＰ以外にもいろいろなプログラム及びプラットホームで使用可能である。
【００５０】
すなわち、ＮＬＩＡネームサーバ３６０に含まれた自国語スキャンモジュール３６２は、一般的なドメインと自国語インターネットアドレスとを区別して処理する。ＮＬＩＡ処理サーバ３４０に含まれた多国語スキャンモジュール３４２は、ユーザから受けた各種情報を収集し、処理可能な情報を抽出して、該当要請者の特性を把握し、リソース切換モジュール３４４は、自国語インターネットアドレスＤＢサーバ３８０から受けたデータを実際にクライアント３９０に伝達する前に、該当するクライアント３９０が処理可能な形態に変換する。多国語スキャンモジュール３４２は、システムで使用するプロトコルで接続したユーザやＮＬＩＡネームサーバ３６０を用いて接続したユーザを全てこのモジュールを介して抽出可能な情報を用いて実際にデータベースから検索するデータの特性を把握する。
【００５１】
ＮＬＩＡ ＤＢサーバ３８０に含まれたＤＢサーバテーブル３８２は、多国語スキャンモジュール３４２によって抽出された情報を用いて、検索するＮＬＩＡシステムを決定する。ＮＬＩＡグローバルアーキテクチャーモジュール３８４は、全世界的に位置しているＮＬＩＡシステムに連動して、他の地域の自国語インターネットアドレスを検索し、キャッシュ（Cache）する役目をする。また、文字的な特性を用いてユーザに最も近接したデータを抽出して適用する。
【００５２】
ＮＬＩＡ処理サーバ３４０の多国語スキャンモジュール３４２は、ユーザから来る各種情報（運営体制、アプリケーションプログラム、言語コード、文字コード、ＩＰアドレス）を用いてユーザが所望する形態のアドレス体系を判別する。ＮＬＩＡ ＤＢサーバ３６０は、伝達されたデータを基にして該当するアドレス体系を探し出す。このようにして得たアドレス体系をリソース切換モジュール３４４によってクライアント３９０で収容可能な形態に変化して提供している。
【００５３】
クライアント３９０は、コンピュータが利用されることが好ましいか、その他にも、インターネットに連結され得る移動通信端末機、電話、ファックスなどの他の通信装置であってもよい。
【００５４】
以下、図１乃至図３を参照して、本発明の実施例１に係る自国語インターネットシステムの連動を含む全体的な実際具現を例にして詳細に説明する。図３は、本発明の実施例１に係る自国語インターネットサービスシステムの連動処理を説明する概略的なブロック図である。図３では、韓国ＮＬＩＡシステム３００と同じシステムであるブルガリアＮＬＩＡシステム１００と、中国ＮＬＩＡシステム２００と、日本国ＮＬＩＡシステム４００とが相互接続されいる。
【００５５】
（１）言語と地域判別方法
実施例１の自国語インターネットアドレスシステム（ＮＬＩＡＳ）は、言語と地域情報（例えば、国家情報）を用いてシステムを分離する基準とする。その理由は、１つの地域（国家）で２個以上の言語を共用で使用することもあり、１つの言語がいろいろな地域で使用されることもあるからである。
【００５６】
したがって、実施例１のＮＬＩＡシステム（ＮＬＩＡＳ）では、例えば、ＲＦＣ１７６６（Tags for the Identification of Languages）を用いてシステムを分離して運営する。ＲＦＣ１７６６の基準にしたがってＩＳＯ６３９（Code for the representation of names of language）とＩＳＯ３１６６（Code for the representation of names of countries）に表現された言語と国家コードとの組み合わせでシステムを分離運営する。
【００５７】
このような′Ｌａｎｇｕａｇｅ−Ｔａｇｓ（ＲＦＣ１７６６）′を基準にして分離運営されるシステムを１つのレジストリ（Registry）として認定し、１つの地域において使用言語が複数個である場合、多数のレジストリシステムが存在することができる。
【００５８】
（２）地域と言語によって分離されて運営される各レジストリシステムの連動方法
分離運営されるレジストリ（Registry）システムは、ユーザの質問語によってＮＬＩＡ処理サーバ３４０から受けたデータをＮＬＩＡ ＤＢサーバ３８０に伝達するようになり、このように伝達されたデータには、′Ｌａｎｇｕａｇｅ−Ｔａｇｓ′情報が含まれていて、自身に該当しない′Ｌａｎｇｕａｇｅ−Ｔａｇｓ′に対する要請資料が来る場合、自国語インターネットアドレス通信チャンネル（NLIA Communication Channel）を介して処理可能なシステムにデータを伝達し、その結果を受けてＮＬＩＡ処理サーバ３４０に伝達して処理する。
【００５９】
すなわち、韓国語language-tagユーザが中国で中国ＮＬＩＡシステム２００のＮＬＩＡ処理サーバに韓国語キーワードを要請する場合、中国ＮＬＩＡシステム２００は、ＮＬＩＡ通信チャンネルを用いて韓国語サービスをサポートする韓国ＮＬＩＡシステム３００に要請されたキーワードに該当するデータを要請し、これにより、伝達された外部データは、ＮＬＩＡ ＤＢサーバに自動でキャッシュされ、データに含まれた格納時間（ＴＴＬ；Time-To-Live）の間に格納され、システムの性能を低下することなく、外部データを用いて全世界のいずれの言語でキーワードサービスを要請しても、自国語キーワードサービスを提供することができるようになる。図４ａ及び図４ｂは、言語と地域情報であるlanguage-tagをブラウザで追加と選択をするための画面を示す図である。
【００６０】
連動サービスは、他の方式で具現することも可能である。すなわち、フランスのＮＬＩＡシステムにユーザが中国語キーワードを入力する場合、中国語文字のコード値によりその文字を使用する言語権を判別して、ＮＬＩＡ通信チャンネルを用いて該当するＮＬＩＡシステムにデータを要請する。フランスＮＬＩＡシステムに漢字が入力される場合、漢字のコード値により、フランスＮＬＩＡシステムは、漢字を使用する中国ＮＬＩＡシステム及び日本国ＮＬＩＡシステムにデータを要請し、該当するデータを伝達されて、サービスするようになる。
【００６１】
2008502202.tif 000003
【００６２】
このような文字的な特徴を用いて、ＮＬＩＡ処理サーバ３４０では、′Ｌａｎｇｕａｇｅ−Ｔａｇｓ′別に構成されたＮＬＩＡ ＤＢサーバ３８０が処理している文字の範囲をあらかじめ格納しておき、ユーザの要請時に、入力された文字の範囲を検索して、処理可能なＮＬＩＡ ＤＢサーバの目録を決定し、その目録に該当するシステムを検索し、ユーザが′Ｌａｎｇｕａｇｅ−Ｔａｇｓ′を設定しないか、又は、誤って設定された場合にも、サービスが可能にする。
【００６３】
また、自国語インターネットアドレスは、多様なインターネットアドレスに活用可能であり、構造的に拡張可能な形態で構成（自国語ｅメールアドレス処理適用）される。したがって、自国語インターネットアドレスシステムは、自国語を基準にして多様なインターネットアドレス（Naming Space）に対する接近方法で活用可能に設計されている。既にサービスされているＷＷＷ（World Wide Web）だけでなく、ＦＴＰ、ＴＥＬＮＥＴのようなインターネット基盤のサービスと電話（Telephone）、ファックス（Fax）、個人情報などのような情報を提供することが可能である。
【００６４】
また、自国語インターネットアドレスシステムを用いて、′自国語ＩＤ＠自国語インターネットアドレス′で構成された′＠′を基準にして右側部分が以前の英語ドメイン（正確にＤＮＳのＭＸ（Mail eXchange）ＲＲ（Resource Record）の値を利用する部分）を自国語インターネットアドレスに使用して処理する方式であり、右側だけでなく、左側のＩＤも自国語で表現するサービスを提供することができる。このサービスは、従来の英語アドレスをより容易に認識して、検索を容易にする。
【００６５】
自国語インターネットアドレスシステムでは、ＮＬＩＡ処理サーバを介して自国語インターネットアドレス及び自国語ｅメールアドレスが共に処理可能である。自国語ｅメールアドレスＤＢサーバを用いてサービスをすることも可能であり、他の方式によれば、ＭＡＩＬのためのＬＤＡＰ（lightweight Directory Access Protocol）を用いても使用可能である。しかも、′＠自国語インターネットアドレス′を基準にして分散された形態の自国語ｅメールアドレス処理も可能である。この機能は、他の自国語インターネットアドレス処理サーバを使用するようにして、分散された態の自国語ｅメールアドレス処理が可能である。
【００６６】
（４）データ同期化方法
自国語インターネットアドレスシステムを処理するサーバは、１つのサーバで構成されたものでなく、分散可能な構造で設計されていて、地域的に分散された形態をサポートするように開発されている。すなわち′Ｌａｎｇｕａｇｅ−Ｔａｇｓ′が″ｋｏ″であるサーバを韓国にのみ設けるものでなく、他の国にも設置してサービスすることも可能である。このようなシステムが分散されている場合、新しい自国語インターネットアドレスが登録される場合、登録されたデータは、速い時間内に全体のシステムに適用されなければならないが、自国語インターネットアドレス中継サーバ（NLIA Transaction Server）がこれをリアルタイムで登録させるようにすることが好ましい。
【００６７】
このシステムは、新規で登録される自国語インターネットアドレスをサービス中のＮＬＩＡ ＤＢサーバ３８０に転送する機能を有している。ＮＬＩＡ ＤＢサーバ３８０は、自国語インターネットアドレス中継サーバから受けたデータをリアルタイムで適用可能な機能が追加されていて、追加されたデータは、メモリ上で二進検索（Binary Search）が可能な形態に変更され、サービスを提供する。
【００６８】
また、サービス中のＮＬＩＡ ＤＢサーバ３８０は、再開始をしたり、データを新規に受ける時毎に、途中に損失される場合に備えて、自身が有している資料の情報を自国語インターネットアドレス中継サーバに伝達し、常に同期化させる機能をする。データを同期化する方法は、データをやりとりする時、システムの最終データの時間を互いに伝達し、この最終のデータの時間が誤った場合、互いの最終のデータを伝達し、常に最新の情報に維持するようにする。
【００６９】
（５）クライアント（ブラウザ、自国語インターネットアドレスクライアントモジュール、メールエージェント）と自国語インターネットアドレス処理サーバ（NLIA Resolution Server）との通信方法
クライアント３９０とＮＬＩＡ処理サーバ３４０とは、ＨＴＴＰ（Hypertext Transfer Protocol）を用いて通信する。ウェブブラウザで使用するプロトコルだけでなく、クライアントのアプリケーション（Ｗｅｂ  Ｂｒｏｗｓｅｒ、メールエージェント（Mail User Agent）、インターネットアプリケーションプログラム）もＨＴＴＰを用いてソケット（Socket）通信を行い、その結果を利用する。
【００７０】
多く使用され且つ知られているＨＴＴＰを利用する理由は、ＨＴＴＰ通信方法が多くのシステムで使用しているから、安定性と保安にフィルタリングがなされる場合がほとんどないからである。
【００７１】
（６）自国語インターネットアドレス処理サーバと自国語インターネットアドレスＤＢサーバ（NLIA DB Server）との通信方法
データは、全てＵＴＦ−８形式の文字で表現され、データは、全て文字の長さを含んでいて、多様な形態の文字と言語を全て処理可能である。基本形態は、″長さ＼ｒ＼ｎデータ＼ｒ＼ｎ″のＲＦＣ２６１６（Ｈｙｐｅｒｔｅｘｔ  Ｔｒａｎｓｆｅｒ  ｐｒｏｔｏｃｏｌ−ＨＴＴＰ／１．１）に含まれている″Ｃｈｕｎｋｅｄ  Ｔｒａｎｓｆｅｒ  Ｃｏｄｉｎｇ″方法を参考にして作成され、差異点は、Ｃｈｕｎｋ−Ｓｉｚｅを１６進数（Hexa decimal）を使用することなく、１０進数(Decimal)を使用する点である。
【００７２】
【表１】
2008502202.tif 000004
【００７３】
自国語インターネットアドレス処理サーバ３４０は、ユーザが要請した′Ｌａｎｇｕａｇｅ−Ｔａｇｓ′値でデータを質問し、結果がない場合に、′Ｌａｎｇｕａｇｅ−Ｔａｇｓ′を′ａｕｔｏ′値に伝達し、自国語インターネットアドレス知能型検索が可能なように具現可能である。
【００７４】
（７）自国語インターネットアドレスＤＢサーバ（NLIA DB Server）の通信方法
′Ｌａｎｇｕａｇｅ−Ｔａｇｓ′で区別される自国語インターネットアドレスシステムは、自国語インターネットアドレス処理サーバと自国語インターネットアドレスＤＢサーバとの通信方法と同様にデータ通信を行い、通信時には、′Ｌａｎｇｕａｇｅ−Ｔａｇｓ′情報を用いて情報を区別して処理する。
【００７５】
自国語インターネットアドレスＤＢサーバは、自国語インターネットアドレス通信チャンネル（NLIA Communication Channel）を介して処理を行い、このチャンネルの情報テーブルは、ＤＳＴ（DB Server Table）と呼ばれる自国語インターネットアドレスＤＢサーバのリストの目録を用いて処理する。このようなテーブルの情報は、自国語インターネットアドレスＤＢサーバがリアルタイムで相互的にアップデートして最新情報を維持する。
【００７６】
（実施例２）
以下、添付の図面を参照して本発明の実施例２に係る自国語インターネットアドレスシステム１３００を詳細に説明する。説明の便宜上、実施例１との差異点を中心にして重複する内容は省略しながら説明する。図５は、本発明の実施例２に係る自国語インターネットアドレスシステム１３００の構成を概略的に示すブロック図である。
【００７７】
自国語インターネットアドレスシステム１３００は、言語別に分離されて構成された自国語インターネットアドレスデータの登録を受けて格納する自国語インターネットアドレスＤＢサーバ１３８０と、自国語インターネットアドレスＤＢサーバ１３８０に接続され、前記自国語インターネットアドレスデータを登録する自国語インターネットアドレス登録モジュール１３２０と、ＮＬＩＡ ＤＢサーバ１３８０に接続され、クライアント１３９０により入力された質問語の言語を判別するＮＬＩＡ処理サーバ１３４０と、を備える。
【００７８】
ＮＬＩＡ処理サーバ１３４０は、入力された質問語の言語種類を判別し、その言語に該当する自国語インターネットアドレスＤＢサーバから対応するＵＲＩまたはＵＲＬ形態のアドレスを取得し、自国語インターネットアドレスＤＢサーバ１３８０は、各国の自国語インターネットアドレスシステムのＮＬＩＡ ＤＢサーバに連動してアップデートされる。
【００７９】
実施例１との主な差異点を説明すれば、実施例１では、ＮＬＩＡ処理サーバ（図１の３４０）が、入力された質問語が自国語である場合は、ＮＬＩＡ ＤＢサーバ（図１の３８０）からこの自国語に対応するＵＲＩまたはＵＲＬ形態のアドレスを取得し、他の地域の言語である場合は、その地域のＮＬＩＡシステムからその国の言語に対応するＵＲＩまたはＵＲＬ形態のアドレスを取得するのに対し、実施例２では、ＮＬＩＡ ＤＢサーバ１３８０は、各国の自国語インターネットアドレスシステムのＮＬＩＡ ＤＢサーバに連動してアップデートされるので、クライアント１３９０により入力された質問語が自国語であるか他の国の言語であるかに関係なく、ＮＬＩＡ ＤＢサーバ１３８０で処理される（図５の経路Ｃ参照）。各言語別ＤＢの連動は、リアルタイムまたは特定の時間になされる。
【００８０】
（実施例３）
以下、添付の図６を参照して本発明の実施例３に係る自国語インターネットアドレスシステムを詳細に説明する。図６は、本発明に係る自国語インターネットアドレスシステムの連動処理を説明する概略的なブロック図である。
【００８１】
図６は、図３の連動処理システムの他の具現例を示している。図３では、韓国ＮＬＩＡシステム３００と、同じシステムであるブルガリアＮＬＩＡシステム１００と、中国ＮＬＩＡシステム２００と、日本国ＮＬＩＡシステム４００とが相互接続されいるのに対し、図６では、中継サーバ２５００を介して相互接続されいる。このような中継サーバ方式は、前述した実施例１と実施例２のいずれにも適用可能である。中継サーバ２５００は、言語別ＤＢを探して検索するようにしたり（実施例１）、言語別ＤＢを互いに連動させて同期化する（実施例２）。
【００８２】
（実施例４）
以下、添付の図７及び図８を参照して本発明の実施例４に係る自国語インターネットアドレスシステムを詳細に説明する。図７は、本発明の第４実施例に係る自国語インターネットアドレスシステムのブロック図であり、図８は、自国語インターネットシステムの連動処理を説明する概略的なブロック図である。図７を参照すれば、自国語インターネットアドレスシステムは、中央ＤＢサーバ２６００に連動する。
【００８３】
中央ＤＢサーバ２６００は、言語別に分離されて構成された自国語インターネットアドレスデータの登録を受けて格納し、クライアント２３９０により入力された質問語の言語種類を判別し、その言語に該当する対応するＵＲＩまたはＵＲＬ形態のアドレスをＮＬＩＡ処理サーバ２３４０に伝達する。
【００８４】
実施例２のＮＬＩＡ ＤＢサーバ１３８０が各国の自国語インターネットアドレスシステムのＮＬＩＡ ＤＢサーバに連動してアップデートされるのに対し、実施例４の中央ＤＢサーバ２６００は、クライアント２３９０により入力された質問語の言語種類を判別し、その言語に該当する対応するＵＲＩまたはＵＲＬ形態のアドレスを内部に構築された言語別ＤＢを通じて検索し、この結果を自国語インターネットアドレス処理サーバ２３４０に伝達する。中央ＤＢサーバ２６００に接続された自国語インターネットサービスシステムは、この結果をクライアント２３９０に応答する。
【００８５】
中央ＤＢサーバ２６００は、国別に速度面において差異があるので、これらの国に構築された自国語インターネットアドレスシステムに質問語に対する応答を受ける場合、場合によって処理速度が一定でないという問題点を解決することができ、安定したシステムを構築することができるという長所を有する。
【００８６】
（実施例５）
以下、添付の図９を参照して本発明の実施例５に係る自国語インターネットアドレスシステムを詳細に説明する。図９は、本発明の実施例５に係る自国語インターネットアドレスシステムのブロック図である。
【００８７】
中央ＤＢサーバ２６００は、言語別に分離されて構成された自国語インターネットアドレスデータの登録を受けて格納し、各自国語インターネットシステムも自己地域のＮＬＩＡ ＤＢの複写本を有している。
【００８８】
実施例４との差異点を中心に説明すれば、実施例５には、各自国語インターネットサービスシステムに各言語別ＤＢを別途に保有するものである。このような構成によって、各自国語インターネットシステムは、質問語の言語種類を判別し、自己地域の自国語インターネットアドレスＤＢで検索しない質問語だけを中央ＤＢサーバ２６００に伝達する。したがって、各ＮＬＩＡシステムが各々通信する必要なく、中央のサーバと通信すればよいので、処理速度の向上及び管理の簡便化などを期待することができる。
【００８９】
（言語別ＤＢ方式を利用した自国語インターネットアドレスサービス方法）
以下、図１０を参照して本発明の実施例に係る自国語インターネットアドレスサービス方法を詳細に説明する。図１０は、本発明の実施例に係る自国語インターネットアドレスサービス方法の流れ図である。
【００９０】
まず、自国語インターネットアドレスデータを登録し、自国語インターネットアドレスＤＢを構築する（ステップＳ１０１）。
【００９１】
次に、クライアントを介して質問語が入力される場合、質問語が英語ドメインであるか否かを判断する（ステップＳ１０３）。この段階では、質問語は、言語と地域情報を含むことができる。具体的には、言語と地域情報がブラウザで選択するようになっているlanguage tagによって選択されることができる（図４ａ及び図４ｂの関連説明参照）。質問語が英語ドメインである場合は、ＤＮＳサーバに質問語を伝達し（ステップＳ２０１）、ＤＮＳサーバでは、これに対してクライアントに応答し、ＩＰアドレスを伝達する（ステップＳ２０３）。一方、ドメインでない場合は、自国語インターネットアドレスシステムに該当質問語を伝達する。このような機能は、図１のＮＬＩＡネームサーバ（図１の３６０）で行うように構成することもでき、図１のＮＬＩＡクライアントモジュール（図１の３７０）で行うように構成することもできる。
【００９２】
次に、質問語が一般的なドメインでない場合、自国語インターネットアドレスシステムは、自国語であるか他の地域の言語であるかを判断する（ステップＳ３０１）。自国語インターネットアドレスシステムは、例えば、韓国の場合、韓国語が自国語インターネットアドレスＤＢサーバに格納されている。したがって、該当質問語が韓国語である場合、自国語として判断し、韓国自国語インターネットアドレスシステムに質問をし、韓国自国語インターネットアドレスシステムは、これに応答する（ステップＳ４０１）。韓国語でない日本語、中国語などの場合は、他の地域の自国語インターネットアドレスシステムに質問をする（ステップＳ５０１）。一方、英語の場合は、各地域の公用語に該当するので、自国語として見なして処理することも可能である。
【００９３】
一方、１つの言語が複数の地域で使われる場合の処理が問題となる。すなわち、例えば、スペイン語の場合、複数の地域で使われる。したがって、検索結果が複数である場合、直ちに連結されずに、結果を列挙して、それらの中から選択する方式を選択するように構成することができる。この場合、図４ａ及び図４ｂで示すlanguage-tagを利用すれば便利である。もちろん必要に応じて、質問語と一緒に地方区分を意味する識別子を挿入し、この識別子を通じて該当地域をあらかじめ選択することができる。
【００９４】
一方、他の地域の自国語インターネットアドレスシステムに登録されていない質問語に対する処理が問題となる。このような未登録の質問語に対しては、ｉ）あらかじめ指定された地域のＮＬＩＡ ＤＢサーバ（すなわち、自国語インターネットアドレスシステム）に質問語を伝達して応答するように構成することができ、ｉｉ）検索サイトと連携して検索結果を転送するように構成することができ、ｉｉｉ）各地域の全体ＮＬＩＡ ＤＢサーバから類似の値を検索して通知する方式で構成することができる。
【００９５】
（地域別ＤＢ方式の自国語インターネットアドレスシステム）
（実施例６）
図１１は、本発明の実施例６に係る自国語インターネットアドレスシステムの構成を概略的に示すブロック図であり、図１２は、本発明の実施例６に係る自国語インターネットシステムの連動処理を説明する概略的なブロック図である。
【００９６】
図１１を参照すれば、自国語インターネットアドレスサービスシステム５３００は、該当地域の言語で構成された自国語インターネットアドレスデータの登録を処理する登録モジュール５３２０と、登録モジュール５３２０から登録された自国語言語を収集するＮＬＩＡ ＤＢサーバ５３８０と、クライアント５３７５により入力された質問語（query）をレゾリューションするＮＬＩＡ処理サーバ５３４０とを備える。
【００９７】
前述した実施例１乃至５の言語別ＤＢ方式の自国語インターネットアドレスシステムとの差異点を中心に説明すれば、実施例６の自国語インターネットシステムは、地域別に多数の言語で構成されたＤＢを備える。すなわち、韓国語といっても、韓国地域の自国語インターネットアドレスシステム以外の地域システムにも登録することができるようになり、各地域の自国語インターネットアドレスシステムは、言語の区別なく全ての言語を登録される。
【００９８】
したがって、或る地域の自国語インターネットアドレスシステムは、他の地域の言語で構成された他の地域の自国語インターネットアドレスシステムと互いに連動して、クライアントの要請により他の地域の自国語インターネットアドレスシステムと通信する。他の地域の自国語インターネットアドレスシステムとの通信は、ＮＬＩＡ処理サーバ５３４０を経由したり（図１１の経路Ａ）、ＮＬＩＡ ＤＢサーバ５３８０間の通信（図１１の経路Ｂ）を利用することができる。
【００９９】
地域別自国語インターネットアドレスシステムでは、言語の区分なくサービス地域を基準にしてシステムを分離する。その理由は、１つの国家で２個以上の言語を共用で使用したり、１つの言語が複数の国家で使用されたりするからである。地域別に分離運営されるシステムを１つのレジストリ（Registry）として認定し、１つの地域に１つのレジストリシステムが存在することができるが、地域が国家と必ず一致するものではない。
【０１００】
このように、地域によって分離されて運営される各レジストリシステムの連動方法は、次の通りである。
【０１０１】
分離運営されるレジストリ（Registry）システムは、ユーザの質問語によってＮＬＩＡ処理サーバ５３４０から受けたデータをＮＬＩＡ ＤＢサーバ５３８０に伝達して処理するようになり、例えば、ユーザの質問語に指定された区分子とコードなどを含む方法で特定の地域を選択した場合は、自国語インターネットアドレス通信チャンネル（NLIA Communication Channel）を介して処理可能なシステム及びＤＢにデータを伝達し、その結果を受けて、ＮＬＩＡ処理サーバ５３４０に伝達して処理する。
【０１０２】
すなわち、特定の地域を選択することなく、一般的な形式で自国語質問をする場合は、地域レジストリのＤＢサーバから結果を探して応答し、韓国で中国のような特定の地域を選択して質問する場合は、韓国のＮＬＩＡシステムがＮＬＩＡ通信チャンネルを用いて指定された地域である中国のＮＬＩＡシステムに要請されたキーワードに該当するデータを要請し、その結果を受けて応答する。この際、特定の地域のＮＬＩＡシステムから伝達された外部データは、自国語インターネットアドレスＤＢサーバに自動でキャッシュされ、データに含まれた格納時間（ＴＴＬ、Ｔｉｍｅ−Ｔｏ−Ｌｉｖｅ）の間に格納され、システムの性能の低下なく、外部データを用いて他の地域のサービスを要請しても、自国語キーワードサービスを提供できるようになる。
【０１０３】
自国語インターネットアドレスは、多様なインターネットアドレスに活用可能であり、構造的に拡張可能な形態で構成（自国語ｅメールアドレス処理適用）される。したがって、自国語インターネットアドレスシステムは、自国語を基準にして多様なインターネットアドレス（Naming Space）に対する接近方法で活用可能に設計されている。既にサービスされているＷＷＷ（World Wide Web）だけでなく、ＦＴＰ、ＴＥＬＮＥＴのようなインターネット基盤のサービスとＴｅｌｅｐｈｏｎｅ、Ｆａｘ、個人情報などのような情報を提供することが可能である。
【０１０４】
また、自国語インターネットアドレスシステムを用いて、′自国語ＩＤ＠自国語インターネットアドレス′で構成された′＠′を基準にして右側部分が従来の英語ドメイン（正確にＤＮＳのＭＸ（Mail eXchange）ＲＲ（Resource Record）の値を利用する部分）を自国語インターネットアドレスを使用する処理する方式であり、右側のみならず、左側のＩＤも自国語で表現するサービスを提供することができる。このサービスは、従来の英語アドレスをより容易に認識して、検索を容易にする。
【０１０５】
自国語インターネットアドレスシステムでは、自国語インターネットアドレス処理サーバ３３００を介して自国語インターネットアドレス及び自国語ｅメールアドレスが共に処理可能である。現在は、自国語ｅメールアドレスＤＢ  Ｓｅｒｖｅｒを介してサービスを行っているが、ＭＡＩＬのためのＬＤＡＰ（Lightweight Directory Access Protocol）を用いても使用可能である。
【０１０６】
データを同期化する方法は、データをやりとりする時、システムの最終データの時間を互いに伝達し、この最終のデータの時間が誤った場合、互いの最終データを伝達し、常に最新の情報に維持するようにする。
【０１０７】
クライアント（ブラウザ、自国語インターネットアドレスクライアントモジュール、ＭＵＡ）と自国語インターネットアドレス処理サーバ（NLIA Resolution Server）との通信方法は、次の通りである。
【０１０８】
クライアントから質問語が入力される場合、質問語は、一般的なアドレス処理手続によってネームサーバに伝達される。すると、ネームサーバは、ユーザからの入力された質問語がドメインであるか否かを判断するようになり、ドメインでないと判断する場合、地域のＮＬＩＡシステムに質問語を伝達したり、またはユーザにＮＬＩＡシステムのアドレスを応答して、ＮＬＩＡシステムに質問できるようにするようになる。他の方法には、クライアントに設置された自国語インターネットアドレスクライアントモジュールがアドレス窓などから入力された質問語の形態を判断し、ドメインでない場合、地域のＮＬＩＡシステムに質問語を伝達して処理するようにする。
【０１０９】
仮に、自身が位置する地域でなく、他の地域のサービスを望む場合は、事前に定義された特定の区分子と地域を示す文字を共に入力する方法で地域を選択することができ、クライアントに設置されたプログラムから地域を選択して処理するようにすることができる。
【０１１０】
クライアント５３９０とＮＬＩＡ処理サーバ５３４０とは、ＨＴＴＰ（Hypertext Transfer Protocol）を用いて通信する。ウェブブラウザで使用するプロトコルだけでなく、クライアントのアプリケーション（Ｗｅｂ  Ｂｒｏｗｓｅｒ、メールクライアント（Mail User Agent）、インターネットアプリケーションプログラム）もＨＴＴＰを用いてソケット（Socket）通信を行い、その結果を利用する。多く使用され且つ知られているＨＴＴＰを利用する理由は、ＨＴＴＰ通信方法が多くのシステムで使用されているので、安定性と保安などのためのフィルタリングにかかる場合がほとんどないからである。
【０１１１】
（実施例７）
図１３は、図１２の連動処理システムの他の具現例を示している。図１２では、ブルガリアＮＬＩＡシステム５３００と、同じシステムである韓国ＮＬＩＡシステム５１００と、中国ＮＬＩＡシステム５２００と、日本国ＮＬＩＡシステム５４００とが相互接続されているのに対し、図１３では、中継サーバ５５００を介して相互接続されている。各地域ＮＬＩＡシステム５１００、５２００、５３００、５４００は、中継サーバ５００と各々通信する。
【０１１２】
複数の地域ＮＬＩＡシステム間には、互いに連動してローミングサービスを行うことができ、この場合、まず、地域システムのＤＢから要請されたキーワードに対する検索を行い、ＤＢから探さない場合、指定された他の地域のシステムのＤＢに検索を要請し、該当するデータを伝達されてサービスする。
【０１１３】
そして、ＮＬＩＡシステムのＤＢから該当するデータを探さない場合は、連携された検索社の検索結果を提供したり、ＮＬＩＡシステムのＤＢから、類似の値を探して応答することによって、ユーザにとって所望の結果をより迅速に得ることができるようにすることができる。
【０１１４】
韓国ＮＬＩＡシステム５１００、中国ＮＬＩＡシステム５２００、ブルガリアＮＬＩＡシステム５３００及び日本国ＮＬＩＡシステム５４００など複数の地域ＮＬＩＡシステムで構成されたシステムにおいて、他の地域のシステムに登録を望む場合は、各地域のシステムを介して登録を行うことができるが、属した地域のシステムから他の地域のシステムへの登録を行うこともできる。このために、地域ＮＬＩＡシステムの登録システムは、ユーザが指定した地域システムに登録可能可否を問い合わせし、結果を通知し、ユーザの要請に応じて該当地域システムに登録を要請、処理するようになる。
【０１１５】
（実施例８）
以下、添付の図面を参照して本発明の実施例８に係る自国語インターネットアドレスシステム６３００を詳細に説明する。説明の便宜上、実施例６との差異点を中心にして重複する内容は省略しながら説明する。図１４は、本発明の実施例８に係る自国語インターネットアドレスシステム６３００の構成を概略的に示すブロック図である。
【０１１６】
自国語インターネットアドレスシステム６３００は、地域別に分離されて構成された自国語インターネットアドレスデータの登録を受けて格納するＮＬＩＡ ＤＢサーバ６３８０と、ＮＬＩＡ ＤＢサーバ６３８０に接続され、前記自国語インターネットアドレスデータを登録する登録モジュール６３２０と、ＮＬＩＡ ＤＢサーバ６３８０に接続され、クライアント６３９０により入力された質問語をレゾリューションするＮＬＩＡ処理サーバ６３４０とを備える。
【０１１７】
実施例６との主な差異点を説明すれば、実施例６では、ＮＬＩＡ処理サーバが、入力された質問語が自己地域の言語である場合は、ＮＬＩＡ ＤＢサーバからこの自国語に対応するＵＲＩまたはＵＲＬ形態のアドレスを取得し、他の地域の言語である場合は、その地域のＮＬＩＡサービスシステムからこれに対応するＵＲＩまたはＵＲＬ形態のアドレスを取得するのに対して、実施例７では、ＮＬＩＡ ＤＢサーバ６３８０は、各地域の自国語インターネットアドレスシステムのＮＬＩＡ ＤＢサーバに連動してアップデートされるので、クライアント６３９０により入力された質問語がどの地域の言語であるかに関係なく、ＮＬＩＡ ＤＢサーバ６３８０で処理される。各地域別ＤＢの連動は、リアルタイムまたは特定の時間になされる。
【０１１８】
（実施例９）
図１５は、本発明の実施例９に係る自国語インターネットアドレスシステムの連動処理を説明する概略的なブロック図である。図１５を参照すれば、自国語インターネットアドレスシステム６２００、６４００、６６００は、中央ＤＢサーバ６０００に連動する。
【０１１９】
中央ＤＢサーバ６０００は、地域別に分離されて構成された自国語インターネットアドレスデータの登録を受けて格納し、クライアントにより入力された質問語が他の地域のサービスを望む場合、これに対応するＵＲＩまたはＵＲＬ形態のアドレスを該当地域サービスＤＢから検索した後、質問語が伝達されてきた地域のＮＬＩＡシステムにこの情報を伝達する。
【０１２０】
自国語インターネットアドレス中央ＤＢサーバ６０００は、各地域のＮＬＩＡシステムＤＢと同じ複写本を有していて、各地域のＮＬＩＡシステムが各々通信する必要なく、中央のサーバと通信すればよいので、処理速度の向上及び管理の簡便化などを期待することができる。一方、本実施例の変形としては、各地域のＮＬＩＡシステムＤＢが中央ＤＢ６０００にのみ集中する方式を取ることができる（図１６参照）。
【０１２１】
（実施例１０）
図１６は、本発明の実施例１０に係る自国語インターネットアドレスシステムの連動処理を説明する概略的なブロック図である。図１６を参照すれば、地域別自国語インターネットアドレスシステム６２００、６３００、６４００は、中央ＤＢサーバ２６００に連動する。
【０１２２】
中央ＤＢサーバ２６００は、地域別に分離されて構成された自国語インターネットアドレスデータの登録を受けて格納し、クライアントにより入力された質問語に対してその言語に該当する対応するＵＲＩまたはＵＲＬ形態のアドレスを自国語インターネットアドレス処理サーバに伝達する。
【０１２３】
実施例８との差異点を中心にして説明すれば、実施例９では、中央ＤＢサーバ６０００にのみ地域別ＤＢを保有し、地域別自国語インターネットアドレスシステム６２００、６３００、６４００には、地域別ＤＢが備えられていない。
【０１２４】
次に、前述した各実施例１乃至１０に追加に具備可能であるか、変形可能な構成要素を順に言及する。
【０１２５】
（分散型中央ＤＢサーバ）
図１７は、本発明の実施例に適用可能な分散型中央ＤＢを説明する図である。分散型中央ＤＢサーバは、中央ＤＢサーバが備えられるシステムのいずれにも具現可能であり、実施例４、５、９、１０に適用可能である。
【０１２６】
図１７を参照すれば、自国語インターネットアドレスシステム６２００、６４００、６６００は、多数の中央ＤＢサーバ６０１０、６０２０、６０３０に連動する。多数の自国語インターネットアドレス中央ＤＢサーバ６０１０、６０２０、６０３０は、互いに異なる地域に位置する２つ以上のシステムで構成され、情報要請位置から最も応答が速いシステムで応答処理されるように具現される。
【０１２７】
分散された中央ＤＢサーバ６０１０、６０２０、６０３０間の同期化のためには、基準となるサーバを指定することができ、基準サーバの値を基準にして他の複写本サーバに特定の時間またはリアルタイムでデータをアップデートして同期化させるようになる。また、データの同期化のために、全てのデータは、基準サーバから認証を受けるようにすることができ、このために、各地域システムの登録システムは、データの追加、変更時に、その内容を基準サーバに伝達する。
【０１２８】
また、サービス中のＮＬＩＡ ＤＢサーバ（ＮＬＩＡ ＤＢ  Ｓｅｒｖｅｒ）は、再開始をしたり、データを新規に受ける時毎に、途中に損失される場合に備えて、自身が有している資料の情報を基準サーバに伝達して常に同期化させる機能をする。
【０１２９】
（登録用中継サーバ）
図１８は、本発明の実施例に適用可能な登録用中継サーバを説明する図である。登録用中継サーバは、登録モジュールが備えられるシステムのいずれにも具現可能であり、実施例１乃至１０のいずれにも適用可能である。
【０１３０】
自国語インターネットアドレスシステムには、登録用中継サーバ６３２２が追加されることができる。登録用中継サーバ６３２２は、言語別または地域別自国語アドレスシステムの登録モジュールが登録内容を臨時に格納し、ＤＢに反映する役目をする。登録用中継サーバ６３２２は、登録要請事項が直ちに自国語インターネットアドレスＤＢに伝達される場合、質問語が輻輳したり、自国語ＤＢに問題が発生するなどの障害が生じた時、一定時間分離して安定装置として機能することができる。リアルタイムまたは特定の時間に一括的にＤＢに反映することが好ましい。登録用中継サーバ６３２２が各ＮＬＩＡシステムと通信して処理するようにすることによって、より効率的な管理を期待することができる。
【０１３１】
登録用中継サーバ６３２２は、例えば１つのＮＬＩＡシステムから他のＮＬＩＡシステムに登録するために、他のＮＬＩＡシステムの登録モジュールに問い合わせし、登録可否を確認し、その結果を受けて登録依頼者に通知し、依頼者の登録要請がある時、他のＮＬＩＡサービス登録システムに要請して登録を行う。
【０１３２】
（中継サーバ及び中央ＤＢサーバの構成）
図１９は、本発明の実施例に適用可能な中継サーバ及び中央ＤＢサーバの構成を説明する図である。分散型中央ＤＢサーバは、中央ＤＢが備えられるシステムのいずれにも具現可能であり、実施例４、５、９、１０に適用可能である。
【０１３３】
図１９を参照すれば、各ＮＬＩＡシステム７２００、７４００、７６００は、中央ＤＢサーバ７０００及び中継サーバ７１００に各々連結されている。中央ＤＢサーバ７０００は、言語別または地域別ＮＬＩＡ ＤＢがいずれも格納可能である。
【０１３４】
以下では、地域別ＮＬＩＡ ＤＢである場合を例にして説明する。地域別ＮＬＩＡ ＤＢである場合、各地域別ＮＬＩＡシステムは、他の地域または自己地域のＮＬＩＡ ＤＢが必要な場合、中央ＤＢサーバ７０００との通信を行って検索した後、その結果を伝達される。中継サーバ７１００は、登録機能を行う。登録以外の質問語に対する検索時は、各地域のＮＬＩＡシステムは、中継サーバ７１００を経由せずに、直ちに中央ＤＢサーバ７０００に接続される。例えば、韓国のＮＬＩＡシステムが韓国地域で″三星″という質問語に対する応答を要請した場合、中継サーバ７１００を経由せずに、直ちに中央ＤＢサーバ７０００への要請が行われ、中央ＤＢサーバ７０００は、韓国地域ＤＢからこれを検索し、韓国ＮＬＩＡシステムにその結果を伝達する。
【０１３５】
このような方式によれば、中継サーバ７１００は、自国語の登録時、各地域の自国語システムに連結して、それによる費用を算出課金することができ、登録業務と他の業務とを分離して進行できるようになり、より効率的なシステムを構築することができる。
【０１３６】
一方、中央ＤＢサーバ及び中継サーバの各々は、同じ内容の複写本サーバを複数の地域に有する分散型構造で構成されることができ、登録用中継サーバを用いて全体システムを具現することができる。分散型サーバでは、最も応答が速い地域のサーバに質問し応答する方式で動作するようになる。一方、各地域システムは、分散された中央ＤＢサーバ、中継サーバ、登録用中継サーバとの連結にエニーキャスト方式を利用することができる。
【０１３７】
（臨時格納部）
図２０は、本発明の実施例に適用可能な臨時格納部を説明する図である。臨時格納部は、中央ＤＢサーバ８６００が備えられるシステムのいずれにも具現可能であり、実施例４、５、９、１０に適用可能である。
【０１３８】
臨時格納部は、一種のキャッシュメモリで、中央ＤＢサーバ８６００から伝達された値を一定の期間臨時に格納し、同じ要請が自国語インターネットアドレス処理サーバ８３４０からなされると、この要請に直ちに応答する機能を行う。
【０１３９】
（クライアントモジュール方式及びサーバ基盤方式）
図２１は、本発明の実施例に適用可能なクライアントモジュール方式及びサーバ基盤方式を説明する図である。クライアントモジュール方式及びサーバ基盤方式は、実施例１乃至１０のいずれにも適用可能である。
【０１４０】
図２１を参照すれば、ＮＬＩＡシステムに接続されるクライアントは、サーバ基盤のソルーション方式で動作することもでき、システムの拡張と他のプロトコルのサポートのために自国語インターネットアドレスユーザソフトウェアがクライアントにモジュール形式で設置されるＮＬＩＡクライアントモジュール９３７０で動作することができる。
【０１４１】
ＮＬＩＡクライアントモジュール９３７０は、ユーザから要請されたデータを英語ドメインネームであるか自国語ネームであるかを判断し、自国語である場合、ＮＬＩＡ処理サーバ９３４０に伝達し、それに対応する結果値を受けてクライアント９３９０に伝達する。ＮＬＩＡクライアントモジュール３３７０は、ＨＴＴＰ形式でＴＣＰ／ＩＰ  Ｓｏｃｋｅｔ通信でデータをやりとりする。
【０１４２】
サーバ基盤ソルーションで動作するクライアント９３９０は、ユーザから要請を受けた質問語をＮＬＩＡネームサーバ９３６０に伝達し、ＮＬＩＡネームサーバ９３６０は、この質問語が英語ドメインネームであるか自国語ネームであるかを判断し、自国語である場合、ＮＬＩＡ処理サーバ９３４０に伝達する方式である。
【０１４３】
（地域別ＤＢ方式を用いた自国語インターネットアドレスサービス方法）
以下、図２２を参照して本発明の実施例に係る自国語インターネットアドレスサービス方法を詳細に説明する。図２２は、本発明の実施例に係る自国語インターネットアドレスサービス方法の流れ図である。
【０１４４】
まず、自国語インターネットアドレスデータを登録し、地域別自国語インターネットアドレスＤＢを構築する（ステップＳ６０１）。
【０１４５】
次に、クライアントを介して質問語が入力される場合、質問語が英語ドメインであるか否かを判断する（ステップＳ６０３）。この場合、質問語には、地域を示す識別子が共に付加されることができる。具体的な具現方式には、例えば、″質問語″に″＃８２″という識別子が添付される場合、′＃′次の符号または文字などは地域を意味する識別子として認識するように具現することができる。地域、例えば国家別に数字を付与し、この数字を質問語の次に併記する方式で地域を選択するように構成する。実際具現においては、ユーザが質問語と識別子を共に入力することもでき、スクロール形態で地域識別子を選択するように構成されたプログラムを用いて、ユーザが地域を選択し、質問語を入力するようにし、プログラムがこの地域に該当する識別子を生成するように（例えば、前述した＃８２のような方式で）具現することができる。例えば、三星＃８２という質問語をユーザが直接入力する場合、＃８２が韓国という地域を意味するものであるとあらかじめ指定されている場合、どの地域の自国語インターネットアドレスシステムでも直ちに韓国インターネットアドレスシステムに接続して、″三星″という質問語を伝達することができるようになる。
【０１４６】
質問語がドメインである場合は、ＤＮＳサーバに質問語を伝達し（ステップＳ７０１）、ＤＮＳサーバでは、クライアントにこれに応答してＩＰアドレスを伝達する（ステップＳ７０３）。一方、ドメインでない場合は、自国語インターネットアドレスシステムに該当質問語を伝達する。
【０１４７】
次に、質問語が一般的なドメインでない場合、自国語インターネットアドレスシステムは、自己地域のサービスに対する要請であるか他の地域のサービスに対する要請であるかを判断する（ステップＳ８０１）。自国語インターネットアドレスシステムは、例えば韓国の場合、韓国語、英語など全ての言語が自国語インターネットアドレスＤＢサーバに格納されている。したがって、該当質問語が自己地域のサービスに対する要請であると判断する場合、韓国の自国語インターネットアドレスシステムに質問をし、韓国の自国語インターネットアドレスシステムは、これに応答する（ステップＳ９０１）。しかし、入力された質問語が他の地域のサービスに対する要請である場合、他の地域の自国語インターネットアドレスシステムに質問をする（ステップＳ１００１）。自己地域であるか否かの判断は、自国語に付加された地域情報を利用することが好ましい。
【０１４８】
一方、他の地域の自国語インターネットアドレスシステムに登録されていない質問語に対する処理が問題となる。このような未登録の質問語に対しては、ｉ）あらかじめ指定された地域のＮＬＩＡ ＤＢサーバ（すなわち、自国語インターネットアドレスシステム）に質問語を伝達して応答するように構成することができて、ｉｉ）検索サイトと連携して検索結果を転送するように構成することができ、ｉｉｉ）各地域の全体ＮＬＩＡ ＤＢサーバから類似の値を検索して通知する方式で構成することができる。
【０１４９】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【産業上の利用可能性】
【０１５０】
本発明の自国語インターネットアドレスシステムは、従来のＬＤＨ（Ｌｅｔｔｅｒ、Ｄｉｇｉｔ、Ｈｙｐｈｅｎ）で構成された階層的構造のドメインとは異なって、各国の言語で表現可能なキーワード形態を用いて特定のリソースに接近できるデータを通知することができ、ユーザがウェブ、メール、電話、ファックスのような情報に接近する際、自国語を用いて接近できるようにする。
【０１５１】
また、このシステムは、多様な言語及び国家のデータを収容可能であり、該当する処理サーバは、ドメインの階層的な方式でルート（Root）から分配された方式でなく、互いに等しい立場でデータをやりとりすることができ、内部的にＵＴＦ（UCS Transformation Format）の形式の文字言語を使用することによって、ユニコードで表現可能な全世界の多様な文字を全て処理可能なシステムである。
【０１５２】
また、自国語インターネットアドレスは、多様な国家及び言語的な特性を用いて、国別自国語インターネットアドレスシステムの通信を通じて該当する値を探し出す知能型検索が可能な自国語インターネットアドレスサービスを行うことができる。
【０１５３】
そして、各国の自国語インターネットアドレスシステムが自国語インターネットアドレス通信チャンネルを用いて連動されることによって、他の国でも自国語インターネットアドレスを使用することができるようになる。
【図１】
2008502202.tif 000005
【図２】
2008502202.tif 000006
【図３】
2008502202.tif 000007
【図４ａ】
2008502202.tif 000008
【図４ｂ】
2008502202.tif 000009
【図５】
2008502202.tif 000010
【図６】
2008502202.tif 000011
【図７】
2008502202.tif 000012
【図８】
2008502202.tif 000013
【図９】
2008502202.tif 000014
【図１０】
2008502202.tif 000015
【図１１】
2008502202.tif 000016
【図１２】
2008502202.tif 000017
【図１３】
2008502202.tif 000018
【図１４】
2008502202.tif 000019
【図１５】
2008502202.tif 000020
【図１６】
2008502202.tif 000021
【図１７】
2008502202.tif 000022
【図１８】
2008502202.tif 000023
【図１９】
2008502202.tif 000024
【図２０】
2008502202.tif 000025
【図２１】
2008502202.tif 000026
【図２２】
2008502202.tif 000027
【国際調査報告】
2008502202.tif 000028